(57)【特許請求の範囲】
【請求項１】
ａ．フェルラ酸エチル、フェルラ酸へキシル、フェルラ酸ウンデシル及びフェルラ酸２−エチル−１−ヘキシルからなる群から選ばれるフェルラ酸誘導体の少なくとも一種と、ｂ．アミノ酸類、セラミド、甘草エキスのグリチルリチン酸類、ラズベリー類、ラベンダー、ローズマリー、ユーカリ、ヒノキチオール、竹エキス、アロエエキス、グレープフルーツ、 レモン、ホホバ油、オリーブ油、柑橘油、海藻エキス、スクワラン類、コラーゲン、ソルビトール及びブドウ糖類からなる群から撰ばれる少なくとも一種とを重量比率で１：２〜２：１の割合で併含することを特徴とする繊維製品にスキンケア効果を付与する薬剤。
【請求項２】
前記薬剤がマイクロカプセル化、サイクロデキストリンによる包摂化、又はベシクル構造体化されていることを特徴とする請求項１に記載の薬剤。
【請求項３】
請求項１又は２に記載の薬剤を、繊維製品に、バインダーで固着させることを特徴とするスキンケア効果を有する繊維製品の製造方法
【発明の詳細な説明】
【０００１】
【発明の属する技術分野】
本発明は、フェルラ酸誘導体を使用した、繊維製品にスキンケア効果を付与する薬剤に関する。
【０００２】
【従来の技術】
フェルラ酸は酸化や変色を防止する生理活性物質として食品・化粧品・医療品等の業界で広く知られている。
また、繊維業界においても、フェルラ酸及びその誘導体を繊維素材に固着して、耐久性に優れた紫外線吸収効果を有する繊維製品を提供しようとする試みがある（特許文献１参照）。ここでは、防縮剤、撥水剤、抗菌防虫剤、防炎剤、帯電防止剤、 染料など他の薬剤との併用も可能であるとされるが、各薬剤に期待される以外の薬効を望めるものではなかった。
【０００３】
【特許文献１】
特開平５−１２５６６８号公報
【０００４】
【発明が解決しようとする課題】
本発明は、フェルラ酸誘導体を使用して、繊維製品に、美肌効果、老化防止効果、かぶれ防止性又は抗アレルギー性というスキンケア効果を付与することのできる薬剤を提供することを課題とする。
【０００５】
【課題を解決するための手段】
本発明では、ａ．フェルラ酸エチル、フェルラ酸へキシル、フェルラ酸ウンデシル及びフェルラ酸２−エチル−１−ヘキシルからなる群から選ばれるフェルラ酸誘導体の少なくとも一種と、ｂ．アミノ酸類、セラミド、甘草エキスのグリチルリチン酸類、ラズベリー類、ラベンダー、ローズマリー、ユーカリ、ヒノキチオール、竹エキス、アロエエキス、グレープフルーツ、 レモン、ホホバ油、オリーブ油、柑橘油、海藻エキス、スクワラン類、コラーゲン、ソルビトール及びブドウ糖類からなる群から撰ばれる少なくとも一種とを組み合わせて使用することにより、前記課題を解決した。
【０００６】
すなわち、本発明の薬剤は、前記ａ成分とｂ成分を重量比率で１：２〜２：１の割合で使用することで、前記ａ成分及びｂ成分の単独使用では予想されないような、相乗効果を得ることができ、繊維製品に対して、初期の目的である美肌効果、老化防止、かぶれ防止又は抗アレルギー性というスキンケア効果を付与することを可能とするものである。
【０００７】
ａ成分及びｂ成分を含む薬剤は、マイクロカプセル化、サイクロデキストリンによる包摂化又はベシクル構造体化して使用されるのが好ましく、この場合、油性はもちろん、親水性の化合物でも繊維類や、不織布、繊維ウエブに洗濯耐久性良く付与することが可能となり、特にバインダーの使用により洗濯耐久性の向上が可能となる。
【０００８】
【０００９】
【００１０】
ａ成分及びｂ成分を含む薬剤は、繊維製品に、バインダーを使用して固着し、繊維製品にスキンケア効果を付与するものであるが、このバインダーとしては、アクリル酸エステル系、ウレタン系、シリコン系、フッ素系、エポキシ系などのポリマーを使用するのが好ましい。
【００１１】
なお、本発明では、かかる薬剤を繊維製品に固着させ、繊維製品に、美肌効果、老化防止、かぶれ防止又は抗アレルギー性という特異な効果を付与することを可能とするものであるが、この際、本発明の薬剤は、バインダーを含む処理液とし、繊維製品にディッピング、パディング、コーティング等の公知の方法で付着させ、乾燥固着すればよい。
【００１２】
処理される繊維製品は、糸、織物、 編物、不織布、繊維ウエブ等のいずれの形状でもよく、繊維の種類も、特に限定されない。繊維製品への、機能性付与剤の付着量は、特に限定されないが、固形分で０．０５〜５．０重量％程度であるのがよい。
【００１３】
【発明の実施の形態】
次に、本発明の実施例を示すが、実施例において部又は％とあるのは、特に断らない限り、重量部又は重量％を示す。
【００１４】
〔実施例１〕
フェルラ酸２−エチル−１−ヘキシル２０部、グリチルリチン酸アンモニウム２０部をエタノール５部、ノニルフェノールのエチレンオキサイド１０モル付加物１０部、バインダーとしてシリコン系樹脂を２０部、残りを水で全量１００部とし、繊維ウエブ用加工剤とした。
次に目付が３００ｇ／ｍ２ の木綿平織物に、かかる加工剤を１００ｇ／Ｌとなるように水で希釈した加工液をピックアップ１００％となるように浸漬後、マングルで絞り、１００℃で予備乾燥した。次いで、１７０℃で３分間熱処理して介護用マットとした。この製品は、抗アレルギー性があり、介護用マットとして非常に有用なものとなった。
【００１５】
〔比較例１〕
実施例１のフェルラ酸２−エチル−１−ヘキシルを３部とし、グリチルリチン酸アンモニウムを３７部とした以外は実施例１と同様の方法を実施した。得られた製品は、実質的に抗アレルギー性効果のないものであった。
【００１６】
〔実施例２〕
フェルラ酸ウンデシル１０部、スクワランのシリカマイクロカプセル１５部を、エタノール５部、ノニルフェノールのエチレンオキサイド１０モル付加物１０部、バインダーとしてシリコン系樹脂を２０部、残りを水で全量１００部とし、繊維ウエブ用加工剤とした。
次に、かかる加工剤を３０ｇ／Ｌに水で薄めた液を、目付が２５ｇ／ｍ２ のウエットティッシュ用紙（セルロース繊維ウエブ）にキスロールでピックアップが５０％になるように付着させた。
【００１７】
〔比較例２〕
実施例２のスクワランの代わりに、よもぎエキスを使用して、実施例２と同様の方法を実施した。
【００１８】
実施例２と比較例２で得たウエットティッシュを、肘部分に当て、ナイロンフィルムでカバーし、その上から皮膚用接着テープで止めて４時間放置した後、マイクロスコープで皮膚の状態を拡大観察したところ、実施例２の製品はスキンケア性に優れ、美肌効果を示すのに対し、比較例２の製品は、良好なスキンケア性を示さなかった。
【００１９】
【００２０】
〔実施例３〕
フェルラ酸２−エチル−１−ヘキシル２０部、スクワランとラズベリーのベシクル構造体２０部をエタノール５部、ノニルフェノールのエチレンオキサイド１０モル付加物１０部、バインダーとしてシリコン系樹脂を２０部、残りを水で全量１００部とし、繊維ウエブ用加工剤とした。
次に目付が２００ｇ／ｍ２ の繊維ウエブ（ナイロン２０％、アクリル３０％、ウール３０％からなるニット）に、かかる加工剤を１５０ｇ／Ｌとなるように水で希釈した加工液をピックアップ１００％となるように浸漬後、マングルで絞り、１００℃で５分間予備乾燥した。次いで、１７０℃で１分間熱処理してエステ用の手足保護カバー具とした。
就寝時に、かかる保護カバー具で片方の手足を覆い、他方の手足は普通通りに保護カバー具なしで、１週間経過した後、手足の状態を、マイクロスコープ写真で比較した。その結果、保護カバー具をした手足は、保護カバーをしなかった手足に比べ、皺が除去され、更に美白効果が認められた。
【００２１】
〔比較例３〕
Ａ．フェルラ酸２−エチル−１−ヘキシル４０部、エタノール５部、ノニルフェノールのエチレンオキサイド１０モル付加物１０部、バインダーとしてシリコン系樹脂を２０部、残りを水で全量を１００部とした繊維ウエブ用加工剤と
Ｂ．スクワランとラズベリーのベシクル構造体４０部をエタノール５部、ノニルフェノールのエチレンオキサイド１０モル付加物１０部、バインダーとしてシリコン系樹脂を２０部、残りを水で全量１００部とした繊維ウエブ用の加工剤
を使用して、実施例３と同様の試験を実施した。
その結果、Ａの加工剤（本発明のｂ成分を含まない）及びＢの加工剤（本発明のａ成分を含まない）のいずれを用いた場合にも、実施例３の皺除去効果や美白効果を得ることはできなかった。
【００２２】
【発明の効果】
本発明では、フェルラ酸誘導体と特定の化合物を組み合わせて使用することにより、繊維製品に、美肌効果、老化防止効果、かぶれ防止性、抗アレルギー性という機能性を付与することを可能とする。